(57)【要約】【課題】抽選結果のラベルに印字中にエラーを生じた時に対処する手段を備えた抽選機能付きプリンターを提供することを課題とする。【解決手段】抽選結果を印字中にエラーコードを検知した時は、印字を停止してエラーメッセージを液晶パネル２８に表示するとともに、印字途中の印字結果を記憶させてからエラーを解消して、再度、お客様が抽選ボタン１１を押して抽選処理をしないで予め記憶された抽選結果をラベル３に印字してロール紙４を抽選券として発行する。【選択図】図３
2016218875.tif 000002
【特許請求の範囲】
【請求項１】
抽選処理を行う抽選手段と、該抽選手段によって抽選処理された抽選結果を記録紙に印字する印字部を備えた抽選機能付きプリンターにおいて、
抽選結果の印字中にエラーコードを検知した時は、印字を停止し、エラーを解消して再印字する時は、エラー前の抽選結果を再印字することを特徴とする抽選機能付きプリンターである。
【請求項２】
抽選処理を行う抽選手段と、該抽選手段によって抽選処理された抽選結果を記録紙に印字する印字部を備えた抽選機能付きプリンターにおいて、
抽選結果を記録紙に印字中にエラーコードを検知した時は、印字を停止し、エラーを解消して再印字する時は、エラー前の抽選結果を再印字するか抽選処理を最初からやり直して印字するかを設定する設定手段を備えたことを特徴とする抽選機能付きプリンターである。
【発明の詳細な説明】
【技術分野】
【０００１】
本発明は、抽選手段によって抽選処理された抽選結果を記録紙に印字する抽選機能付きプリンタ−に関するものである。
【背景技術】
【０００２】
従来、小売店等においては、競業者との差別化を図り、顧客を固定化するためにポイント会員制度を採り入れて会員の購入金額に対して所定比率の特典ポイントを付与したり、顧客が商品を購入した際に、購入商品の種類や購入額に応じてクーポン券、抽選券、応募券等を発行したりすることが行われている。
【０００３】
さらに、重要顧客に対しては、その他の一般顧客に対するよりも有利な抽選条件を設定し、その設定した抽選条件に基づいた確率で抽選処理を行い、その結果を印字したレシートを発行した抽選処理機能付きＰＯＳシステムが知られている（特許文献１参照）。
【先行技術文献】
【特許文献】
【０００４】
【特許文献１】特開２００３−  ７７０６３号公報
【発明の概要】
【発明が解決しようとする課題】
【０００５】
しかしながら、特許文献１に記載の抽選処理機能付きＰＯＳシステムは、特定商品の購入、購入金額、来店回数等の多いカード会員又は購入条件に一致した重要顧客を類別し、この類別した顧客に対して個別に抽選条件を設定し、その設定した抽選条件に基づいた確率で抽選処理を行い、当選券等の特典を発行して付与しているものであるが、当選券等の特典を発行している途中に当選券等がなくなったりしてエラーを生じた場合について、どのように対処するかの記載がなかった。
【０００６】
本発明は、上記問題に鑑みてなされたものであって、抽選結果のラベルに印字中にエラーを生じた時に対処する手段を備えた抽選機能付きプリンターを提供することを目的とする。
【課題を解決するための手段】
【０００７】
上記の課題を解決するために請求項１に記載の抽選機能付きプリンターは、抽選処理を行う抽選手段と、該抽選手段によって抽選処理された抽選結果を記録紙に印字する印字部を備えた抽選機能付きプリンターにおいて、抽選結果の印字中にエラーコードを検知した時は、印字を停止し、エラーを解消して再印字する時は、エラー前の抽選結果を再印字するものである。
【０００８】
上記の課題を解決するために請求項２に記載の抽選機能付きプリンターは、抽選処理を行う抽選手段と、該抽選手段によって抽選処理された抽選結果を記録紙に印字する印字部を備えた抽選機能付きプリンターにおいて、抽選結果を記録紙に印字中にエラーコードを検知した時は、印字を停止し、エラーを解消して再印字する時は、エラー前の抽選結果を再印字するか抽選処理を最初からやり直して印字するかを設定する設定手段を備えたものである。
【発明の効果】
【０００９】
請求項１に記載の抽選機能付きプリンターは、抽選処理を行う抽選手段と、該抽選手段によって抽選処理された抽選結果を記録紙に印字する印字部を備えた抽選機能付きプリンターにおいて、抽選結果の印字中にエラーコードを検知した時は、印字を停止し、エラーを解消して再印字する時は、エラー前の抽選結果を再印字するので、抽選結果の一部をお客様に見られてしまっても、お客様にエラー前の同じ抽選結果を見せることができ、お客様に抽選結果について不平不満を言われるおそれがなくなる。
【００１０】
請求項２に記載の抽選機能付きプリンターは、抽選処理を行う抽選手段と、該抽選手段によって抽選処理された抽選結果を記録紙に印字する印字部を備えた抽選機能付きプリンターにおいて、抽選結果を記録紙に印字中にエラーコードを検知した時は、印字を停止し、エラーを解消して再印字する時は、エラー前の抽選結果を再印字するか抽選処理を最初からやり直して印字するかを設定する設定手段を備えているので、印字停止時の抽選結果の印字状態を主催者が判断して、エラー前の同じ抽選結果を再印字するか抽選処理を最初からやり直して印字するかを適宜設定することができる。
【図面の簡単な説明】
【００１１】
【図１】本発明に係る抽選機能付きプリンタ−の抽選結果をラベルに印字した状態の全体斜視図である。
【図２】本発明に係る抽選機能付きプリンタ−の概略断面図である。
【図３】本発明に係る抽選機能付きプリンタ−の抽選結果を印字中にエラーコードを検知して停止した状態の全体斜視図である。
【図４】本発明に係る抽選機能付きプリンタ−の制御部を構成するブロック図である。
【図５】本発明に係る抽選機能付きプリンタ−の抽選結果をラベルに印字する動作を説明するためのフローチャートである。
【図６】本発明に係る抽選機能付きプリンタ−のエラーコード表のデータ構成図である。
【図７】その他の実施例の本発明に係る抽選機能付きプリンタ−の抽選結果をラベルに印字する動作を説明するためのフローチャートである。
【発明を実施するための形態】
【００１２】
以下の実施例にて、本発明に係る抽選機能付きプリンタ−について実施例に基づいて詳述する。なお、本発明については、実施例の詳細な説明だけに限定されるものでなく、本発明の要旨を逸脱しない範囲で適宜変更可能である。
【実施例】
【００１３】
第一の実施例では、記録紙としてロール紙のラベルに抽選結果を印字する抽選機能付きプリンターについて説明する。図１は、本発明に係る抽選機能付きプリンタ−の抽選結果をラベルに印字した状態の全体斜視図である。図２は、本発明に係る抽選機能付きプリンタ−の概略断面図である。図１および図２において、抽選機能付きプリンタ−１は、主として上流側に配設された帯状の台紙２の長手方向に一定間隔をおいてラベル３が仮着されてロール状に巻回されたロール紙４を収納する収納部５と、収納部５のやや下流側に配設されたサーマルヘッド６がプラテンローラー７に弾接されてロール紙４を挟持して印字しながらフィードする印字部と、台紙２をラベル３から鋭角に偏向させてラベル３を台紙２から剥離させる剥離板８と、プラテンローラー７に弾接されてラベル３から剥離された台紙２を挟持して排出する剥離ローラー９と、台紙２の裏面に長手方向に一定間隔で形成された黒色で細長い矩形状のマークを読み取ってラベル３の位置決めを行う位置決めセンサー１３とで構成されている。
【００１４】
抽選機能付きプリンタ−１の両サイドフレームに枢着されて回動自在とされたサブ操作パネル１０が抽選機能付きプリンタ−１の平面に立設している。サブ操作パネル１０には、抽選結果が印字されたラベル３の抽選券を発行指令する抽選ボタン１１と抽選機能付きプリンタ−１の平面に設けられた抽選結果を表示する液晶パネル２８が視認されるように開口窓１２が設けられている。
【００１５】
図３は、本発明に係る抽選機能付きプリンタ−の抽選結果を印字中にエラーコードを検知して停止した状態の全体斜視図である。図３は、ラベル３に抽選結果を印字している途中に後述する図６のエラーコード表に示されている何らかのエラーコードを検知して停止した状態の図であり、詳細は、後述する図５の本発明に係る抽選機能付きプリンタ−の抽選結果をラベルに印字する動作を説明するためのフローチャートに基づいて説明する。
【００１６】
図４は、本発明に係る抽選機能付きプリンタ−の制御部を構成するブロック図である。図４において、抽選機能付きプリンタ−１は、制御部１４によって各部が制御される。ここで、制御部１４は、主としてＣＰＵ１５、フラッシュメモリー１６、ＲＡＭ１７、モーターコントローラー１８、印字コントローラー１９、センサーコントローラー２０、外部インターフェース２１、インターフェース２２とで構成され、各部はバスライン２３を介してＣＰＵ１５に接続されている。
【００１７】
ＣＰＵ１５は、フラッシュメモリー１６に記憶されている抽選機能付プリンタ−１の各部を制御する制御プログラムや各種処理を行うためのアプリケーションプログラムによって抽選処理などの各種処理を行う。ＲＡＭ１７は、ＣＰＵ１５が各種処理を行う上で必要となる各種データを一時的に記憶したり、抽選結果を印字する印字データがドットデータに展開されて記憶されたりする。
【００１８】
抽選結果を表示する印字データや抽選確率は、抽選結果を表示する印字データや抽選結果に応じて抽選確率を設定するアプリケーションプログラムがインストールされたパーソナルコンピューター（以下、ＰＣという。）２４で作成され、有線または無線で抽選機能付きプリンタ−１と通信し、外部インターフェース２１およびバスライン２３を介してＣＰＵ１５に供給され、バスライン２３を介してＲＡＭ１７に記憶される。
【００１９】
たとえば、来店されたお客様が操作部２５としての抽選ボタン１１を押すとインターフェース２２およびバスライン２３を介してＣＰＵ１５に供給され、ＣＰＵ１５は予め設定された抽選確率に対応した乱数表に基づいて抽選処理を行うアプリケーションプログラムによって、抽選結果をバスライン２３およびインターフェース２２を介して表示部２６としての液晶パネル２８に表示させる。と同時に、図１のように抽選結果がラベル３に印字部で印字されてロール紙４が抽選券として発行される。ここでは、台紙２にラベル３が仮着されたまま発行される通常発行の場合について説明してあるが、剥離板８で台紙２からラベル３を剥離させる剥離発行をすることもできる。
【００２０】
モーターコントローラー１８は、プラテンローラー７に駆動部を介して接続されたステッピングモーター２７にパルス信号を供給してプラテンローラー７を回転させて、サーマルヘッド６とプラテンローラー７に挟持されたロール紙４が抽選券として発行させる。一方、印字コントローラー１９は、ＲＡＭ１７に記憶された抽選結果の印字データのドットデータに対応して制御信号を生成し、サーマルヘッド６に供給することによって抽選結果をラベル３に印字する。このようにして、サーマルヘッド６とプラテンローラー７とで構成された印字部でラベル３に抽選結果を印字させながらロール紙４が抽選券として発行させる。
【００２１】
図５は、本発明に係る抽選機能付きプリンタ−の抽選結果をラベルに印字する動作を説明するためのフローチャートである。また、図６は、本発明に係る抽選機能付きプリンタ−のエラーコード表のデータ構成図である。ラベル３に抽選結果を印字してロール紙４を抽選券として発行する方法について、図５のフローチャートを使用して説明する。電源をＯＮまたはロール紙が正常に発行されるとエラーフラッグはゼロに設定される。
【００２２】
先ず、お客様が抽選ボタン１１を押す（ステップ１）と、エラーを解消後の再抽選かどうかを判断する（ステップ２）。エラーを解消後の再抽選でない場合、すなわち、エラーフラッグが１でない場合、予め抽選結果に対応して設定された抽選確率に対応する乱数表に基づいて抽選処理を行い（ステップ３）、抽選結果を印字開始する（ステップ４）。エラーを解消後の再抽選の場合、すなわち、エラーフラッグが１の場合、抽選処理を行わないでエラー前の後述するステップ８で記憶された抽選結果を印字開始する（ステップ４）。
【００２３】
抽選結果を印字中に図６に示されているエラーコード表に該当するエラーコードを検知しない時は（ステップ５）、抽選結果をラベル３に印字してロール紙４を抽選券として発行する（ステップ６）。正常に抽選結果がラベル３に印字されてロール紙４が抽選券として発行され、エラーフラッグもゼロに設定される。この状態が図１に示されている。
【００２４】
ステップ５で抽選結果を印字中にエラーコード表に該当するエラーコードを検知した時は、印字を停止して（ステップ７）エラーコードに対応するエラーメッセージが液晶パネル２８に表示され、エラーフラッグを１に設定する。抽選結果を印字中にエラーコード表に該当するエラーコードを検知して印字を停止した状態が図３に示されている。印字を停止する状態によっても異なるが、図３のように一部印字結果が認識される場合もあり得る。そして、印字途中の印字結果を記憶させてから（ステップ８）、主催者などがエラーを解消し（ステップ９）、再度、お客様が抽選ボタン１１を押しなおす（ステップ１）。
【００２５】
エラーが解消されてから、再度、お客様が抽選ボタン１１を押しなおした場合は、ステップ２でエラーフラッグが１なので、抽選処理をしないでステップ８で記憶された抽選結果を印字開始する（ステップ４）。そして、印字中にエラーコードを検知しない場合は（ステップ５）、記憶された抽選結果がラベル３に印字されてロール紙４が抽選券として発行され（ステップ６）、エラーフラッグはゼロに設定される。なお、エラーコード表もエラーフラッグの設定もＲＡＭ１７に記憶されている。
【００２６】
図７は、その他の実施例の本発明に係る抽選機能付きプリンタ−の抽選結果をラベルに印字する動作を説明するためのフローチャートである。図７を使用して、その他の実施例を説明する。第一の実施例と同一箇所については、同一符号を付して説明を省略する。図７において、ステップ２でエラーを解消後の再抽選の場合、すなわち、エラーフラッグが１の場合、抽選処理をし直すかどうかを主催者が操作部２５から指令する（ステップ１０）。抽選処理をし直しの場合は、ステップ３で抽選処理を行う。抽選処理をし直ししない場合は、エラー前の後述するステップ８で記憶された抽選結果を印字開始するかを主催者が操作部２５から指令する（ステップ１１）。ステップ８で記憶された抽選結果を印字開始する場合は、ステップ４で抽選結果を印字開始する。ステップ８で記憶された抽選結果を印字開始しない場合は、ステップ１０に戻る。
【００２７】
このように、ステップ２でエラーを解消後の再抽選の場合、すなわち、エラーフラッグが１の場合、エラー前の抽選結果を再印字するか抽選処理を最初からやり直して印字するかを設定する設定手段が設けられている。主催者は、設定手段によって操作部２５からいずれかを指令して設定することができる。
【００２８】
本実施例では、抽選結果をロール紙４のラベル３に印字する抽選処理について説明してあるが、記録紙として台紙のないロール紙や台紙のないライナーレスや折り畳まれた用紙や単葉紙などの用紙にも広く適用できる。また、抽選機能付きプリンタ−１は、抽選結果に対応する抽選確率が全て設定されていない場合は、抽選機能は作動せず、通常のプリンターとして使用できる。
【産業上の利用可能性】
【００２９】
顧客吸引力として抽選を行うイベントを開催する場合などに、通常のラベルに印字するラベルプリンターとしてだけでなく、抽選機能を付加してラベルを抽選券として発行できる抽選機能付プリンターとして広く利用することができる。
【符号の説明】
【００３０】
１    抽選機能付きプリンタ−
２    台紙
３    ラベル
４    ロール紙
５    収納部
６    サーマルヘッド
７    プラテンローラー
８    剥離板
９    剥離ローラー
１０    サブ操作パネル
１１    抽選ボタン
１２    開口窓
１３    位置決めセンサー
１４    制御部
１５    ＣＰＵ
１６    フラッシュメモリー
１７    ＲＡＭ
１８    モーターコントローラー
１９    印字コントローラー
２０    センサーコントローラー
２１    外部インターフェース
２２    インターフェース
２３    バスライン
２４    ＰＣ
２５    操作部
２６    表示部
２７    ステッピングモーター
２８    液晶パネル
【図１】
2016218875.tif 000003
【図２】
2016218875.tif 000004
【図３】
2016218875.tif 000005
【図４】
2016218875.tif 000006
【図５】
2016218875.tif 000007
【図６】
2016218875.tif 000008
【図７】
2016218875.tif 000009
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
抽選処理を行う抽選手段と、該抽選手段によって抽選処理された抽選結果を記録紙に印字する印字部を備えた抽選機能付きプリンターにおいて、
抽選結果の印字中にエラーコードを検知した時は、印字を停止し、エラーを解消して再印字する時は、エラー前の抽選結果を再印字することを特徴とする抽選機能付きプリンター。
【請求項２】
抽選処理を行う抽選手段と、該抽選手段によって抽選処理された抽選結果を記録紙に印字する印字部を備えた抽選機能付きプリンターにおいて、
抽選結果を記録紙に印字中にエラーコードを検知した時は、印字を停止し、エラーを解消して再印字する時は、エラー前の抽選結果を再印字するか抽選処理を最初からやり直して印字するかを設定する設定手段を備えたことを特徴とする抽選機能付きプリンター。